(57)【要約】【課題】動画の再生中に動画の再生条件が変更されても、変更された再生条件が反映されるまでにタイムラグが発生することを低減する。【解決手段】画像表示装置の動画再生性能を示す第１仕様情報を取得する第１取得部と、画像供給装置の動画生成性能を示す第２仕様情報を取得する第２取得部と、第１仕様情報及び第２仕様情報に基づいて、再生条件を満たす画像表示装置及び画像供給装置のいずれかを判別する判別部と、判別部が判別した変換部に対して、再生条件に合わせるように動画データを変換させ、画像表示装置が動画を再生している間に再生条件が新たな再生条件に変更された場合に、新たな再生条件が反映された動画データを画像表示装置が画像供給装置から受信するまで、画像表示装置に備えられた変換部によって新たな再生条件に合わせるように動画データを変換するよう制御する制御部と、を有する。【選択図】図５
2016066997.tif 000002
【特許請求の範囲】
【請求項１】
画像供給装置及び画像表示装置がそれぞれ備える変換部のいずれかによって動画データを再生条件に合わせる変換を行い、前記画像供給装置が送信する動画データを前記画像表示装置が受信して動画を再生する動画再生システムであって、
前記画像表示装置の動画再生性能を示す第１仕様情報を取得する第１取得部と、
前記画像供給装置の動画生成性能を示す第２仕様情報を取得する第２取得部と、
前記第１仕様情報及び前記第２仕様情報に基づいて、前記再生条件を満たす前記画像表示装置及び前記画像供給装置のいずれかを判別する判別部と、
前記判別部が判別した前記画像表示装置及び前記画像供給装置のいずれかが備える変換部に対して、前記再生条件に合わせるように動画データを変換させ、前記画像表示装置が動画を再生している間に前記再生条件が新たな再生条件に変更された場合に、前記新たな再生条件が反映された動画データを前記画像表示装置が前記画像供給装置から受信するまで、前記画像表示装置に備えられた変換部によって前記新たな再生条件に合わせるように動画データを変換するよう制御する制御部と、
を有することを特徴とする動画再生システム。
【請求項２】
前記画像表示装置は、
前記新たな再生条件に対応するＩＤを記憶する記憶部を有し、
前記制御部は、
前記画像供給装置が前記新たな再生条件を反映させた動画データと共に送信するＩＤと、前記記憶部が記憶するＩＤとが一致する場合に、前記新たな再生条件が反映された動画データを前記画像表示装置が前記画像供給装置から受信したと判定すること
を特徴とする請求項１に記載の動画再生システム。
【請求項３】
前記画像供給装置は、
前記新たな再生条件を反映させた動画データを送信する場合に、前記画像表示装置が備える変換部が変換を行う必要があるか否かを示す変換要否情報を送信し、
前記画像表示装置は、
前記変換要否情報を受信した場合に、前記新たな再生条件が反映された動画データを前記画像供給装置から受信したと判定すること
を特徴とする請求項１に記載の動画再生システム。
【請求項４】
前記制御部は、
前記画像表示装置が受信した動画データが前記新たな再生条件を満たしているか否かを判定し、前記新たな再生条件を満たしている場合に、前記新たな再生条件が反映された動画データを前記画像表示装置が前記画像供給装置から受信したと判定すること
を特徴とする請求項１に記載の動画再生システム。
【請求項５】
前記新たな再生条件は、表示領域の変更を含むこと
を特徴とする請求項１乃至４のいずれか１項に記載の動画再生システム。
【請求項６】
前記新たな再生条件は、再生フレームレートの変更を含むこと
を特徴とする請求項１乃至５のいずれか１項に記載の動画再生システム。
【請求項７】
前記制御部は、
前記第１仕様情報が前記新たな再生条件を満たしていない場合には、前記新たな再生条件に対する動画データの変換を行わないように制御すること
を特徴とする請求項１乃至６のいずれか１項に記載の動画再生システム。
【請求項８】
前記画像供給装置及び前記画像表示装置がそれぞれ備える変換部に対して、動画データを変換させるか否かを設定する入力を受入れるユーザーインターフェイス部をさらに有すること
を特徴とする請求項１乃至７のいずれか１項に記載の動画再生システム。
【請求項９】
画像供給装置が送信する動画データを受信して動画を再生する画像表示装置であって、
再生条件に合わせるように動画データを変換する第１変換部と、
前記画像表示装置の動画再生性能を示す第１仕様情報を取得する第１取得部と、
前記画像供給装置の動画生成性能を示す第２仕様情報を取得する第２取得部と、
前記第１仕様情報及び前記第２仕様情報に基づいて、再生条件に合わせるように動画データを変換する前記画像供給装置が備える第２変換部、又は前記第１変換部のいずれが動画データを変換するかを判別する判別部と、
前記判別部が判別した前記第１変換部又は前記第２変換部に対して、前記再生条件に合わせるように動画データを変換させ、動画を再生している間に前記再生条件が新たな再生条件に変更された場合に、前記新たな再生条件が反映された動画データを前記画像供給装置から受信するまで、前記第１変換部によって前記新たな再生条件に合わせるように動画データを変換するよう制御する制御部と、
を有することを特徴とする画像表示装置。
【発明の詳細な説明】
【技術分野】
【０００１】
本発明は、動画再生システム及び画像表示装置に関する。
【背景技術】
【０００２】
ＰＣの画面をプロジェクタにネットワークを介して送信し、プロジェクタで表示させるＰＣ画面投影や、ミラキャストと呼ばれる無線ＬＡＮで動画を転送する標準規格に対応したプロジェクタなど、ネットワーク経由で動画をプロジェクタに転送し、投影させる機能は公知である。
【０００３】
一般的に、プロジェクタなどは限られた資源（ＣＰＵやメモリなど）で動作するため、動画の投影のような処理は非常に負荷がかかる。そのため、これらの機能では、予めＰＣ側でプロジェクタが投影可能なサイズにしてから送信することにより、プロジェクタ側でサイズの変更などをしなくてよいようにし、プロジェクタの負荷を減らしている。
【０００４】
一方、プロジェクタには、デジタルズームという機能が搭載されている。これは、画像処理によって画面を縮小することにより、プロジェクタを遠ざけて置いたりせずとも投影できるようにする機能である。また、デジタルズームは、任意のタイミングでユーザーが設定できる。そのため、プロジェクタは、任意のタイミングで投影画像に対して縮小処理を行う必要がある。
【０００５】
すると、プロジェクタによっては、動画の再生だけで性能がぎりぎりである場合や、他の機能を同時に実行している場合に、縮小処理が追加されると、性能が出せなくなりうるという問題があった。また、プロジェクタ側で縮小処理を行わずに、ＰＣ側で縮小処理を追加する場合も、ＰＣ側で他の機能を同時に実行していたり、ＰＣの負荷が既に高くなっている場合には、ＰＣ側でも性能がだせなくなるという問題があった。
【０００６】
この問題に対して、ネットワークからの動画再生中に、プロジェクタ側のユーザー操作により画像処理が発生する場合や、ＰＣ側、プロジェクタ側への他のジョブ発生などによる性能低下時に、負荷が低い方の装置によって画像処理をさせることにより、性能を確保する方法が考えられる。
【０００７】
また、特許文献１には、通信端末のスペック情報に合わせてコンテンツを表示部に表示させる通信端末が開示されている。
【発明の概要】
【発明が解決しようとする課題】
【０００８】
しかしながら、動画の再生中に動画の再生条件が変更された場合に、変更された再生条件が反映されるまでにタイムラグが発生してしまうという問題があった。例えば、デジタルズームのためにＰＣ側で縮小処理を行う場合、デジタルズームの操作から縮小処理が行われたデータが投影されるまでにタイムラグが発生してしまうという問題が発生する。
【０００９】
本発明は、上記に鑑みてなされたものであって、動画の再生中に動画の再生条件が変更されても、変更された再生条件が反映されるまでにタイムラグが発生することを低減することができる動画再生システム及び画像表示装置を提供することを目的とする。
【課題を解決するための手段】
【００１０】
上述した課題を解決し、目的を達成するために、本発明は、画像供給装置及び画像表示装置がそれぞれ備える変換部のいずれかによって動画データを再生条件に合わせる変換を行い、前記画像供給装置が送信する動画データを前記画像表示装置が受信して動画を再生する動画再生システムであって、前記画像表示装置の動画再生性能を示す第１仕様情報を取得する第１取得部と、前記画像供給装置の動画生成性能を示す第２仕様情報を取得する第２取得部と、前記第１仕様情報及び前記第２仕様情報に基づいて、前記再生条件を満たす前記画像表示装置及び前記画像供給装置のいずれかを判別する判別部と、前記判別部が判別した前記画像表示装置及び前記画像供給装置のいずれかが備える変換部に対して、前記再生条件に合わせるように動画データを変換させ、前記画像表示装置が動画を再生している間に前記再生条件が新たな再生条件に変更された場合に、前記新たな再生条件が反映された動画データを前記画像表示装置が前記画像供給装置から受信するまで、前記画像表示装置に備えられた変換部によって前記新たな再生条件に合わせるように動画データを変換するよう制御する制御部と、を有する。
【発明の効果】
【００１１】
本発明によれば、動画の再生中に動画の再生条件が変更されても、変更された再生条件が反映されるまでにタイムラグが発生することを低減することができるという効果を奏する。
【図面の簡単な説明】
【００１２】
【図１】図１は、実施の形態にかかる動画再生システムの概要を示す図である。
【図２】図２は、画像表示装置の構成の概要を示すブロック図である。
【図３】図３は、画像供給装置の構成の概要を示すブロック図である。
【図４】図４は、画像供給装置が有する機能の概要を示すブロック図である。
【図５】図５は、画像表示装置が有する機能の概要を示すブロック図である。
【図６】図６は、動画再生システムの動作例を示す図である。
【図７】図７は、動画再生システムの変形例を示す図である。
【発明を実施するための形態】
【００１３】
以下に添付図面を参照して、動画再生システムの実施の形態を詳細に説明する。図１は、本発明の実施の形態にかかる動画再生システム１の概要を示す図である。図１に示すように、動画再生システム１は、例えば動画コンテンツをサーバとして供給するＰＣ（Ｐｅｒｓｏｎａｌ  Ｃｏｍｐｕｔｅｒ）などの画像供給装置１０、携帯端末などの画像供給装置１２、及びプロジェクタなどの画像表示装置２０が無線通信などによって接続されている。そして、動画再生システム１は、画像供給装置１０（又は画像供給装置１２）が送信する動画データを画像表示装置２０が受信し、画像表示装置２０がスクリーン２２などに投影することにより動画を再生する。
【００１４】
ここで、画像供給装置１０及び画像供給装置１２が供給する動画データ（動画コンテンツ）の解像度は例えば１９８０×１０２４であり、画像表示装置２０が投影する画像の解像度は例えば１２８０×７２０であるとする。つまり、動画再生システム１は、解像度の変換を行って動画を再生する。なお、動画データの仕様には、コンテンツのサイズ（縦、横）、及び再生フレームレートなどが含まれる。
【００１５】
図２は、画像表示装置２０の構成の概要を示すブロック図である。図２に示すように、画像表示装置２０は、例えば入出力部２００、通信部２０２、ＵＳＢ入力部２０４、スペック検出部２０６、画像処理部２０８、投影部２１０、メモリ２１２及びＣＰＵ２１４を有する。
【００１６】
入出力部２００は、画像表示装置２０に対する入出力装置として機能する。通信部２０２は、図示しないネットワークを介して外部の装置と通信を行う。ＵＳＢ入力部２０４は、ＵＳＢを介して動画データなどの入力を受入れ可能にされている。スペック検出部２０６は、例えば画像表示装置２０及び画像供給装置１０それぞれのスペック（仕様情報）を検出し、取得する。
【００１７】
画像処理部２０８は、画像供給装置１０から送信された動画データの復号などの画像処理を行う。投影部２１０は、画像処理部２０８が画像処理した画像データを投影する。メモリ２１２は、画像表示装置２０が処理するデータ及びプログラムなどを記憶する。ＣＰＵ２１４は、画像表示装置２０を構成する各部を制御する制御部としての機能も備える。
【００１８】
図３は、画像供給装置１０（画像供給装置１２）の構成の概要を示すブロック図である。図３に示すように、画像供給装置１０（画像供給装置１２）は、例えば入出力部１００、通信部１０２、スペック検出部１０６、画像処理部１０８、符号化部１１０、メモリ１１２及びＣＰＵ１１４を有する。
【００１９】
入出力部１００は、画像供給装置１０に対する入出力装置として機能する。通信部１０２は、図示しないネットワークを介して外部の装置と通信を行う。スペック検出部１０６は、例えば画像表示装置２０及び画像供給装置１０それぞれのスペック（仕様情報）を検出し、取得する。
【００２０】
画像処理部１０８は、動画データの生成などの画像処理を行う。符号化部１１０は、画像処理部１０８が生成した動画データを符号化する。メモリ１１２は、画像供給装置１０が処理するデータ及びプログラムなどを記憶する。ＣＰＵ１１４は、画像供給装置１０を構成する各部を制御する制御部としての機能も備える。
【００２１】
次に、画像供給装置１０（画像供給装置１２）及び画像表示装置２０がそれぞれ有する機能について説明する。図４は、画像供給装置１０（画像供給装置１２）が有する機能の概要を示すブロック図である。図４に示すように、画像供給装置１０（画像供給装置１２）は、ユーザーインターフェイス（ＵＩ）部１２０、第１取得部１２１、第２取得部１２２、判別部１２３、動画生成部１２４、変換部１２５、送信部１２６及び受信部１２７を有する。
【００２２】
ＵＩ部１２０は、例えば入出力部１００などによって実現され、ユーザーの操作入力を受入れるとともに、ユーザーに対する表示を行う。第１取得部１２１は、例えばスペック検出部１０６によって実現され、画像表示装置２０の動画再生性能を示す第１仕様情報を取得する。第２取得部１２２は、例えばスペック検出部１０６によって実現され、画像供給装置１０の動画生成性能を示す第２仕様情報を取得する。
【００２３】
判別部１２３は、例えばＣＰＵ１１４によって実現され、第１仕様情報及び第２仕様情報を比較し、動画再生システム１の再生条件を満たす画像表示装置２０及び画像供給装置１０のいずれかを判別する。動画生成部１２４は、例えば画像処理部１０８によって実現され、動画データを生成する。
【００２４】
変換部１２５は、例えば画像処理部１０８によって実現され、動画データを動画再生システム１の再生条件に合わせる変換を行う。送信部１２６は、例えば通信部１０２によって実現され、動画データなどの送信を行う。受信部１２７は、例えば通信部１０２によって実現され、画像表示装置２０が送信するデータなどを受信する。
【００２５】
図５は、画像表示装置２０が有する機能の概要を示すブロック図である。図５に示すように、画像表示装置２０は、ユーザーインターフェイス（ＵＩ）部２２０、記憶部２２１、再生条件変更部２２２、判定部２２３、変換部２２４、動画再生部２２５、送信部２２６及び受信部２２７を有する。
【００２６】
ＵＩ部２２０は、例えば入出力部２００などによって実現され、ユーザーの操作入力を受入れるとともに、ユーザーに対する表示を行う。例えば、ＵＩ部２２０は、画像供給装置１０が有する変換部１２５、及び画像表示装置２０が有する変換部２２４に対して、動画データを変換させるか否かを設定する入力を受入れる。
【００２７】
記憶部２２１は、例えばメモリ２１２によって実現され、新たに設定される再生条件に対応するＩＤなどを記憶する。再生条件変更部２２２は、例えばＣＰＵ２１４などによって実現され、ＵＩ部２２０を介して入力されるユーザーによる設定に応じて、動画再生システム１が再生中の動画に対する再生条件を変更する。
【００２８】
判定部２２３は、例えばＣＰＵ２１４などによって実現され、動画再生システム１が再生中の動画に対して再生条件が変更された場合に、変更された新たな再生条件が反映された動画データを画像表示装置２０が画像供給装置１０から受信したか否かを判定する。
【００２９】
例えば、判定部２２３は、画像供給装置１０が新たな再生条件を反映させた動画データと共に送信するＩＤと、記憶部２２１が記憶するＩＤとが一致する場合に、新たな再生条件が反映された動画データを画像表示装置２０が画像供給装置１０から受信したと判定する。
【００３０】
また、画像供給装置１０が新たな再生条件を反映させた動画データを送信するときに、後述する変換部２２４が変換を行う必要があるか否かを示す変換要否情報を送信する場合、判定部２２３は、変換要否情報を受信したときに、新たな再生条件が反映された動画データを画像供給装置１０から受信したと判定してもよい。
【００３１】
また、画像表示装置２０は、受信した動画データが新たな再生条件を満たしているか否かをＣＰＵ２１４が判定し、新たな再生条件を満たしている場合に、新たな再生条件が反映された動画データを画像供給装置１０から受信したとＣＰＵ２１４が判定してもよい。
【００３２】
変換部２２４は、例えば画像処理部２０８によって実現され、動画データを動画再生システム１の再生条件に合わせる変換を行う。動画再生部２２５は、例えば画像処理部２０８によって実現され、動画再生システム１の動画再生条件に応じて動画を再生する。
【００３３】
送信部２２６は、例えば通信部２０２によって実現され、図示しないネットワークを介してデータの送信を行う。受信部２２７は、例えば通信部２０２によって実現され、画像供給装置１０が送信する動画データなどを図示しないネットワークを介して受信する。
【００３４】
なお、図４に示した画像供給装置１０（画像供給装置１２）が有する機能、及び図５に示した画像表示装置２０が有する機能の一部又は全部は、ソフトウェアによって構成されてもよいし、ハードウェアによって構成されてもよい。また、画像供給装置１０（画像供給装置１２）及び画像表示装置２０が有する各ソフトウェアは、インストール可能な形式又は実行可能な形式のファイルにされ、ＣＤ−ＲＯＭ、又はＤＶＤ等のコンピュータで読み取り可能な記憶媒体に書き込まれたコンピュータ・プログラム・プロダクトとして提供されてもよい。
【００３５】
次に、動画再生システム１の動作例について説明する。図６は、動画再生システム１の動作例を示す図である。動画再生システム１が動画を再生しているときに、ユーザーが例えば画像表示装置２０を介して動画の再生条件を変更（デジタルズームの指定などによる表示領域の変更など）する入力を行った場合などに、画像供給装置１０は、画像表示装置２０のスペック情報（第１仕様情報）と自身のスペック情報（第２仕様情報）を取得する（Ｓ１００）。
【００３６】
第１仕様情報は、例えばＣＰＵスペック、ＣＰＵ利用率、残メモリ量、画像処理時間（画像処理種別毎の過去の実績値等）、デコーダ種別、表示領域（縦、横）及び動作しているジョブの数などが含まれる。
【００３７】
第２仕様情報は、例えばＣＰＵスペック、ＣＰＵ利用率、残メモリ量、画像処理時間（画像処理種別毎の過去の実績値等）、及び動作しているジョブの数などが含まれる。
【００３８】
画像供給装置１０は、スペック（第１仕様情報及び第２仕様情報）を比較し、再生条件に応じて画像処理可能な機器（画像供給装置１０又は画像表示装置２０）を判別する（Ｓ１０２）。
【００３９】
より具体的には、画像供給装置１０は、Ｓ１０２の処理において、まずコンテンツ自体のスペックと、画像表示装置２０のスペックから必要となる動画変換処理の種類（拡大、縮小、符号化種類変更）を割り出す。次に、画像供給装置１０は、画像供給装置１０と画像表示装置２０のスペックから、再生フレームレートを満たすような性能を出せる機器を判断する。
【００４０】
また、画像供給装置１０がＳ１０２の処理を実行するタイミングは、動画再生開始前、動画再生条件変更時（デジタルズーム指定での表示領域の変更など）、画像表示装置２０によって動画再生中に他のジョブが開始された時、及び画像供給装置１０によって動画再生中に他のジョブが開始された時などであってもよい。
【００４１】
画像表示装置２０は、スペック情報（第１仕様情報）を生成又は検出し、画像供給装置１０に対して送信するとともに、画像供給装置１０からの指示の有無に応じて動画データを再生条件に合わせて変換する動画変換処理を行っている。つまり、動画再生システム１は、最初の再生条件に従って、画像供給装置１０が送信する動画データを画像表示装置２０が受信して動画の再生及び投影を行っている。
【００４２】
画像供給装置１０は、例えば変換部１２５によって動画データを再生条件に合わせるように変換（動画変換処理）することが可能であるか否かを判定する（Ｓ１０４）。画像供給装置１０は、動画変換処理可能と判断された場合（Ｓ１０４：Ｙｅｓ）には、Ｓ１０６の処理に進む。また、画像供給装置１０は、動画変換処理可能でないと判断された場合（Ｓ１０４：Ｎｏ）には、Ｓ１０８の処理に進む。
【００４３】
画像供給装置１０は、例えば変換部１２５によって動画データを再生条件に合わせるように変換（動画変換処理）を行う（Ｓ１０６）。
【００４４】
そして、画像供給装置１０は、動画データを符号化部１１０によって符号化し（Ｓ１０８）、動画変換処理の要否を示す情報と共に動画データを通信部２０２によって送信する（Ｓ１１０）。
【００４５】
画像表示装置２０は、変換部２２４による動画変換処理の要否を示す情報と、動画データとを受信し（Ｓ２０２）、画像処理部２０８などによって復号する（Ｓ２０４）。
【００４６】
画像表示装置２０は、例えば変換部２２４によって動画データを再生条件に合わせるように変換（動画変換処理）する必要があるか否かを判定する（Ｓ２０６）。画像表示装置２０は、動画変換処理が必要と判断した場合（Ｓ２０６：Ｙｅｓ）には、Ｓ２０８の処理に進む。また、画像表示装置２０は、動画変換処理が必要でないと判断した場合（Ｓ２０６：Ｎｏ）には、Ｓ２１０の処理に進む。
【００４７】
画像表示装置２０は、Ｓ２０８の処理において変換部２２４による動画変換処理を行う。そして、画像表示装置２０は、動画データに応じた投影を行う（Ｓ２１０）。
【００４８】
このように、動画再生システム１は、新たな再生条件が反映された動画データを画像表示装置２０が画像供給装置１０から受信するまで、変換部２２４によって新たな再生条件に合わせるように動画データを変換するので、動画の再生中に動画の再生条件が変更されても、変更された再生条件が反映されるまでにタイムラグが発生することを低減することができる。そして、ＣＰＵ１１４又はＣＰＵ２１４は、第１仕様情報が新たな再生条件を満たしていない場合には、新たな再生条件に対する動画データの変換を行わないように制御する。
【００４９】
なお、実施形態に示した動画再生システム１は、一例であり、上述した画像供給装置１０（画像供給装置１２）及び画像表示装置２０を有するものに限定されない。上述した画像供給装置１０が有する機能を画像表示装置２０が有していてもよいし、画像表示装置２０が有する機能を画像供給装置１０が有していてもよい。例えば、画像表示装置２０が第１取得部１２１、第２取得部１２２及び判別部１２３などを有し、判別を行うように構成されてもよい。
【００５０】
次に、動画再生システム１の変形例について説明する。図７は、動画再生システム１の変形例（動画再生システム１ａ）を示す図である。図７に示すように、動画再生システム１ａは、画像供給装置１０、画像供給装置１２、画像表示装置２０、及びサーバ３０が無線通信などによって接続されている。
【００５１】
サーバ３０は、ＣＰＵ及びメモリを備えて、例えば図４に示した第１取得部１２１、第２取得部１２２、判別部１２３、変換部１２５、送信部１２６及び受信部１２７の機能を有する。この場合、サーバ３０において、第１取得部１２１が画像表示装置２０の第１仕様情報を取得し、第２取得部１２２が画像供給装置１０（又は画像供給装置１２）の第２仕様情報を取得してもよい。
【００５２】
また、サーバ３０の判別部１２３が第１仕様情報及び第２仕様情報に基づいて、再生条件を満たす画像表示装置２０及び画像供給装置１０（又は画像供給装置１２）のいずれかを判別してもよい。また、サーバ３０のＣＰＵは、画像表示装置２０の変換部２２４及び画像供給装置１０（又は画像供給装置１２）の変換部１２５のいずれかに対して、再生条件に合わせるように動画データを変換させ、画像表示装置２０が動画を再生している間に再生条件が新たな再生条件に変更された場合に、新たな再生条件が反映された動画データを画像表示装置２０が受信するまで、画像表示装置２０の変換部２２４によって新たな再生条件に合わせるように動画データを変換するよう制御してもよい。
【００５３】
つまり、動画再生システム１ａでは、機能を実行する第１取得部１２１、第２取得部１２２、判別部１２３（又は判別部２２３）、及び変換部１２５（又は変換部２２４）が、画像供給装置１０、画像供給装置１２、画像表示装置２０及びサーバ３０のいずれに備えられていてもよい。
【符号の説明】
【００５４】
１，１ａ  動画再生システム
１０，１２  画像供給装置
２０  画像表示装置
３０  サーバ
１００，２００  入出力部
１０２，２０２  通信部
１０６，２０６  スペック検出部
１０８，２０８  画像処理部
１１０  符号化部
１１２，２１２  メモリ
１１４，２１４  ＣＰＵ
１２０，２２０  ＵＩ部
１２１  第１取得部
１２２  第２取得部
１２３  判別部
１２４  動画生成部
１２５，２２４  変換部
１２６，２２６  送信部
１２７，２２７  受信部
２２１  記憶部
２２２  再生条件変更部
２２３  判定部
２２５  動画再生部
【先行技術文献】
【特許文献】
【００５５】
【特許文献１】特開２０１０−０６１５４２号公報
【図１】
2016066997.tif 000003
【図２】
2016066997.tif 000004
【図３】
2016066997.tif 000005
【図４】
2016066997.tif 000006
【図５】
2016066997.tif 000007
【図６】
2016066997.tif 000008
【図７】
2016066997.tif 000009